(57)【要約】【課題】自動販売機に誤った初期情報が設定されることを抑制することができる技術を提供する。【解決手段】本実施例の自動販売機設定システムでは、自動販売機に搭載された支払端末１０は、携帯端末３０との間でＮＦＣ通信を確立すると、自身の識別情報を携帯端末３０に送信する。携帯端末３０は、支払端末１０から識別情報を受信すると、メモリ４０から、その識別情報に対応する初期情報を特定し、特定した初期情報を支払端末１０に送信する。支払端末１０は、携帯端末３０から初期情報を受信すると、その受信した初期情報をメモリ２２に記憶させる。これによって、支払端末１０は、自身の識別情報に対応した初期情報を適切にメモリ２２に記憶させることができる。【選択図】図1
2015072621.tif 000002
【特許請求の範囲】
【請求項１】
自動販売機に初期情報を設定する自動販売機設定システムであって、
自動販売機と携帯端末とを有しており、
自動販売機は、
自動販売機を識別するための識別情報を記憶する第１のメモリと、
自動販売機が携帯端末に通信可能に接続された場合に、識別情報を携帯端末に送信する一方、携帯端末から受信する初期情報を第１のメモリに記憶させる、第１の制御部と、を備えており、
携帯端末は、
複数の自動販売機のそれぞれについて、当該自動販売機の識別情報と、当該自動販売機の初期情報と、を対応付けて記憶する第２のメモリと、
自動販売機から識別情報を受信する場合に、第２のメモリに記憶されている、当該自動販売機に対応する初期情報を当該自動販売機に送信する、第２の制御部と、を備えている、自動販売機設定システム。
【請求項２】
第１の制御部は、識別情報を携帯端末に送信した場合に、携帯端末から受信した初期情報が第１のメモリに記憶されたか否かの結果を示す結果情報を出力する、請求項１に記載の自動販売機設定システム。
【請求項３】
第１の制御部は、結果情報を携帯端末に送信し、
携帯端末は、自動販売機から結果情報を受信したときに、受信した結果情報に従って、当該自動販売機の第１のメモリに対応する初期情報が記憶されたか否かの結果を表示する表示部をさらに備える、請求項２に記載の自動販売機設定システム。
【請求項４】
携帯端末と自動販売機との間は、ＮＦＣ通信で接続される、請求項１から３のいずれか一項に記載の自動販売機設定システム。
【請求項５】
携帯端末は、第２のメモリに記憶されている複数の識別情報と複数の初期情報とを表示可能な表示部をさらに備える、請求項１から４のいずれか一項に記載の自動販売機設定システム。
【発明の詳細な説明】
【技術分野】
【０００１】
本明細書で開示する技術は、自動販売機に初期情報（例えば、設置場所情報等）を設定する自動販売機設定システムに関する。
【背景技術】
【０００２】
特許文献１には、自動販売機設定システムが開示されている。この自動販売機設定システムは、自動販売機と、サーバと、携帯端末とを備える。サーバは、自動販売機の設置場所情報と自動販売機のＩＤとを予め記憶する。自動販売機が設置場所に設置される前は、自動販売機にはＩＤ及び設置場所情報は入力されていない。作業者は、自動販売機を設置場所に設置すると、携帯端末を操作して、携帯端末に自動販売機の設置場所情報を入力する。携帯端末は、入力された設置場所情報を自動販売機に送信する。自動販売機は、設置場所情報及び自動販売機に搭載されている通信端末のＩＰアドレスをサーバに送信する。サーバは、設置場所情報から自動販売機に付与すべき自動販売機のＩＤを特定し、自動販売機のＩＤ及びネガデータ等を自動販売機に送信する。自動販売機は、サーバから受信された情報に従って初期設定を行う。
【先行技術文献】
【特許文献】
【０００３】
【特許文献１】特開２０１０−９５６５号公報
【発明の概要】
【発明が解決しようとする課題】
【０００４】
特許文献１の自動販売機設定システムでは、作業者が、携帯端末に自動販売機の設置場所情報を誤って入力してしまう場合がある。その場合、携帯端末から自動販売機に誤った設置場所情報が送信され、その結果、自動販売機に誤ったＩＤが設定されてしまう場合がある。その場合、サーバにおいて、各自動販売機の販売情報等を正確に管理できない場合がある。
【０００５】
本明細書では、自動販売機に誤った初期情報が設定されることを抑制することができる技術を提供する。
【課題を解決するための手段】
【０００６】
本明細書が開示する自動販売機設定システムは、自動販売機に初期情報を設定する自動販売機設定システムである。自動販売機設定システムは、自動販売機と携帯端末とを有している。自動販売機は、自動販売機を識別するための識別情報を記憶する第１のメモリと、自動販売機が携帯端末に通信可能に接続された場合に、識別情報を携帯端末に送信する一方、携帯端末から受信する初期情報を第１のメモリに記憶させる、第１の制御部とを備えている。携帯端末は、複数の自動販売機のそれぞれについて、当該自動販売機の識別情報と、当該自動販売機の初期情報と、を対応付けて記憶する第２のメモリと、自動販売機から識別情報を受信する場合に、第２のメモリに記憶されている、当該自動販売機に対応する初期情報を当該自動販売機に送信する、第２の制御部とを備えている。
【０００７】
上記の自動販売機設定システムでは、自動販売機は、携帯端末と通信可能に接続されると、自身の識別情報を携帯端末に送信する。携帯端末は、自動販売機から識別情報を受信すると、第２のメモリから、その識別情報に対応する初期情報を自動販売機に送信する。自動販売機は、携帯端末から初期情報を受信すると、その受信した初期情報を第１のメモリに記憶させる。これによって、自動販売機は、自身の識別情報に対応した初期情報を適切に第１のメモリに記憶させることができる。携帯端末に識別情報と初期情報を対応付けて記憶することで、作業員が携帯端末に情報を入力する必要がなくなり、自動販売機に誤った初期情報が設定されることを抑制することができる。
【図面の簡単な説明】
【０００８】
【図１】実施例の自動販売機設定システムの構成を模式的に示す図。
【図２】自動販売機に搭載されている支払端末の制御部が実行する処理を示すフローチャート。
【図３】携帯端末の制御部が実行する処理を示すフローチャート。
【図４】自動販売機設定システムが実行する処理の具体例を示すシーケンスチャート。
【発明を実施するための形態】
【０００９】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１０】
（特徴１）第１の制御部は、識別情報を携帯端末に送信した場合に、携帯端末から受信した初期情報が第１のメモリに記憶されたか否かの結果を示す結果情報を出力してもよい。
【００１１】
この構成によると、自動販売機設定システムの利用者は、初期情報が自動販売機の第１のメモリに記憶されたか否かの結果を知り得る。
【００１２】
（特徴２）第１の制御部は、結果情報を携帯端末に送信してもよい。携帯端末は、自動販売機から結果情報を受信したときに、受信した結果情報に従って、当該自動販売機の第１のメモリに対応する初期情報が記憶されたか否かの結果を表示する表示部をさらに備えてもよい。
【００１３】
この構成によると、自動販売機設定システムの利用者は、携帯端末の表示部を見ることによって、初期情報が第１のメモリに記憶されたか否かの結果を知ることができる。
【００１４】
（特徴３）携帯端末と自動販売機との間は、ＮＦＣ通信で接続されてもよい。
【００１５】
この構成によると、ネットワークを利用してパケット通信を行う方式等の他の通信方式とは異なり、携帯端末と自動販売機との間の通信に通信費用が必要とならない。また、携帯端末と自動販売機とがＮＦＣ通信用のインターフェースを有していれば、既存のＮＦＣ通信用のインターフェースを利用してＮＦＣ通信を行うことができるため、携帯端末と自動販売機との間で通信を行うための特別な設備も必要ない。
【００１６】
（特徴４）携帯端末は、第２のメモリに記憶されている複数の識別情報と複数の初期情報とを表示可能な表示部をさらに備えてもよい。
【００１７】
この構成によると、自動販売機設定システムの利用者は、携帯端末の表示部を見ることによって、第２のメモリに記憶されている複数の識別情報と複数の初期情報の内容を確認することができる。
【実施例】
【００１８】
（システム構成；図１）
図１に示す自動販売機設定システム２は、自動販売機４と、携帯端末３０と、ＰＣ６０と、サーバ８０を備える。自動販売機設定システム２は、自動販売機４に初期情報（例えば、ＩＰアドレス等）を設定するためのシステムである。
【００１９】
自動販売機４には、電子マネー決済に対応可能な支払端末１０が搭載されている。支払端末１０は、操作部１２と、表示部１４と、制御部１６と、無線インターフェース（Ｉ／Ｆ）１８と、ＮＦＣ（Near Field Communication）インターフェース（Ｉ／Ｆ）２０と、メモリ２２を備える。図１では、自動販売機４を１台のみ図示しているが、実際は、自動販売機４は複数台備えられている。
【００２０】
操作部１２は、複数のキーを備える。自動販売機４の利用者（例えば、自動販売機４の管理者など）は、操作部１２を操作して、支払端末１０に様々な情報を入力することができる。表示部１４は、様々な情報を表示する。
【００２１】
制御部１６は、メモリ２２内のプログラムに従って様々な処理を実行する。制御部１６が実行する処理の内容は後で詳しく説明する。
【００２２】
無線Ｉ／Ｆ１８は、インターネット６と無線接続するためのインターフェースである。インターネット６には、サーバ８０が接続されている。そのため、支払端末１０は、無線Ｉ／Ｆ１８及びインターネット６を介して、サーバ８０と無線で通信を行うことができる。
【００２３】
ＮＦＣＩ／Ｆ２０は、電子マネーを利用可能なＩＣカードや携帯端末３０等との間でＮＦＣ通信（近距離無線通信）を実行するためのインターフェースである。以下では、ＩＣカードや携帯端末３０等の、支払端末１０との間でＮＦＣ通信を実行可能な媒体及び機器のことを「ＮＦＣ機器」と呼ぶ場合がある。
【００２４】
メモリ２２は、様々なプログラムを記憶している。また、メモリ２２は、支払端末１０に固有の識別情報（例えば、ＭＡＣアドレス）２４を記憶している。本実施例では、支払端末１０に固有の識別情報２４は、支払端末１０のＭＡＣアドレスである。また、他の例では、識別情報２４は、支払端末１０の製造番号であってもよい。さらに、メモリ２２は、初期情報（例えば、後述のＩＰアドレス、設置場所情報、ネガデータ等）を記憶するための領域を有している。
【００２５】
携帯端末３０は、例えば自動販売機の初期設定を行う作業者によって携帯される。携帯端末３０は、操作部３２と、表示部３４と、制御部３６と、ＮＦＣＩ／Ｆ３８と、メモリ４０を備える。図１では、携帯端末３０を１台のみ図示しているが、携帯端末３０は、複数台備えられていてもよい。
【００２６】
操作部３２は、複数のキーを備える。携帯端末３０の利用者（例えば、作業者）は、操作部３２を操作して、携帯端末３０に様々な情報を入力することができる。表示部３４は、様々な情報（例えば、メモリ４０内の識別情報４２及び初期情報４４など）を表示する。
【００２７】
制御部３６は、メモリ内のプログラムに従って様々な処理を実行する。制御部３６が実行する処理の内容は後で詳しく説明する。
【００２８】
ＮＦＣＩ／Ｆ３８は、支払端末１０及びＰＣ６０とＮＦＣ通信を実行するためのインターフェースである。
【００２９】
メモリ４０は、様々なプログラムを記憶している。また、メモリ２２は、複数の自動販売機４のそれぞれについて、当該自動販売機４の支払端末１０に固有の識別情報４２と、当該自動販売機４の支払端末１０に設定されるべき初期情報４４とを対応付けて記憶している。本実施例では、識別情報４２は、各支払端末１０のＭＡＣアドレスである。他の例では、初期情報４４は、各支払端末１０の製造番号であってもよい。本実施例では、初期情報４４は、各支払端末１０に設定されるＩＰアドレス、各自動販売機４の設置場所を示す設置場所情報、ネガデータ等を含む。ネガデータとは、決済処理を許可しないＩＣカード（いわゆるブラックリストに登録されているＩＣカードや、紛失扱いのＩＣカード）のＩＤデータである。
【００３０】
ＰＣ６０は、携帯端末３０のメモリ４０に記憶させる識別情報と初期情報を管理する。ＰＣ６０は、複数の自動販売機４のそれぞれについて、当該自動販売機４の支払端末１０に固有の識別情報４２と、当該自動販売機４の支払端末１０に設定されるべき初期情報４４とを対応付けて記憶している。ＰＣ６０は、携帯端末３０とＮＦＣ通信を実行することにより、識別情報４２と初期情報４４とを携帯端末３０に送信する。携帯端末３０の制御部３６は、識別情報４２と初期情報４４を受信すると、受信した識別情報４２と初期情報４４をメモリ４０に記憶させる。
【００３１】
サーバ８０は、インターネット６に接続されている。サーバ８０は、インターネット６を介して支払端末１０と無線通信を行うことにより、支払端末との間で様々な情報（例えば、自動販売機４の販売実績情報等）を送受信することができる。
【００３２】
続いて、図２、図３を参照して、支払端末１０の制御部１６が実行する処理（設定処理）、及び、携帯端末３０の制御部３６が実行する処理（初期情報送信処理、情報表示処理）について説明する。
【００３３】
（支払端末１０の制御部１６が実行する設定処理；図２）
図２の設定処理は、初期設定が行われていない自動販売機４が新たに設置され、その自動販売機４の電源がＯＮされた場合に行われる。自動販売機４の電源がＯＮされると、支払端末１０に電力が供給され、図２の設定処理が開始される。Ｓ１０では、制御部１６は、ＮＦＣ機器との間でＮＦＣ通信が確立することを監視する。例えば、携帯端末３０の使用者（作業者）が携帯端末３０を支払端末１０に近づけると、携帯端末３０のＮＦＣＩ／Ｆ３８と支払端末１０のＮＦＣＩ／Ｆ２０とが互いに通信可能な距離（例えば１０ｃｍ未満）まで近づく。これによって、支払端末１０と携帯端末３０との間で、ＮＦＣＩ／Ｆ２０、３８を介してＮＦＣ通信が確立する。この場合、制御部１６は、Ｓ１０でＹＥＳと判断し、Ｓ１２に進む。
【００３４】
Ｓ１２では、制御部１６は、確立したＮＦＣ通信を利用して、メモリ２２内の識別情報２４（即ち、支払端末１０の識別情報）を通信相手のＮＦＣ機器に送信する。送信された識別情報２４は、後述するように携帯端末３０によって受信される。
【００３５】
次いで、Ｓ１４では、制御部１６は、所定時間内に支払端末１０に設定されるべき初期情報を受信することを監視する。後で説明するように、携帯端末３０は、上記の識別情報２４を受信すると、メモリ４０内から、識別情報２４と同一の識別情報に対応付けられている初期情報を支払端末１０に送信する（図３のＳ３６参照）。携帯端末３０から送信される初期情報は、支払端末１０の制御部１６に、ＮＦＣＩ／Ｆ２０を介して受信される。この場合、制御部１６は、Ｓ１４でＹＥＳと判断し、Ｓ１６に進む。一方、携帯端末３０が識別情報２４と同一の識別情報に対応付けられている初期情報を特定できない場合、携帯端末３０は、エラー情報を支払端末１０に送信する（図３のＳ３８参照）。この場合（すなわち、支払端末１０がエラー情報を受信した場合）、制御部１６は、Ｓ１４でＮＯと判断し、Ｓ１６をスキップしてＳ１８に進む。また、支払端末１０のＮＦＣ通信の通信相手が携帯端末３０以外のＮＦＣ機器（例えば、ＩＣカード）である場合、ＮＦＣ機器は、支払端末１０に対して、初期情報とエラー情報のいずれも送信できない。この場合は、Ｓ１４の監視処理がタイムアウトとなり、制御部１６は、Ｓ１４でＮＯと判断し、Ｓ１８に進む。
【００３６】
Ｓ１６では、制御部１６は、受信された初期情報をメモリ２２に記憶させる。これによって、支払端末１０に初期情報が設定される。この結果、制御部１６は、無線Ｉ／Ｆ１８とインターネット６を介して、サーバ８０との間で様々な情報を送受信することができる。
【００３７】
次いで、Ｓ１８では、制御部１６は、メモリ２２に初期情報が記憶されたか否かを表す結果を表示部１４に表示させる。Ｓ１６でメモリ２２に初期情報が記憶された場合、Ｓ１８では、制御部１６は、メモリ２２に初期情報が記憶されたことを示す結果（設定成功）を表示部１４に表示させる。一方、通信相手から初期情報を受信できなかった場合（Ｓ１４でＮＯ）のように、メモリ２２に初期情報が記憶されなかった場合、Ｓ１８では、制御部１６は、メモリ２２に初期情報が記憶されなかったことを示す結果（設定失敗）を表示部１４に表示させる。従って、本実施例の自動販売機設定システムの利用者は、支払端末１０の表示部１４を見ることによって、初期情報がメモリ２２に記憶されたか否かの結果を知ることができる。
【００３８】
次いで、Ｓ２０では、制御部１６は、確立したＮＦＣ通信を利用して、メモリ２２に初期情報が記憶されたか否かの結果を示す結果情報を、通信相手のＮＦＣ機器に送信する。後で説明するように、例えば、通信相手が携帯端末３０である場合、携帯端末３０は、結果情報を受信する。携帯端末３０は、上記の結果情報を受信すると、受信した結果情報に従って、結果（設定成功又は設定失敗）を表示部３４に表示させる。Ｓ２０を終えると、制御部１６は、図２の設定処理を終了する。
【００３９】
（携帯端末３０の制御部３６が実行する初期情報送信処理；図３）
図３の初期情報送信処理は、携帯端末３０の使用者（作業者）が、新たに設置された自動販売機４の初期設定を行う場合に行われる。携帯端末３０の使用者が、操作部３２を操作して、所定の設定開始操作を入力すると、制御部３６は、Ｓ３０の監視を開始する。
【００４０】
Ｓ３０では、制御部３６は、支払端末１０との間でＮＦＣ通信が確立することを監視する。携帯端末３０の使用者が、携帯端末３０を支払端末１０に近づけると、携帯端末３０のＮＦＣＩ／Ｆ３８と支払端末１０のＮＦＣＩ／Ｆ２０とが互いに通信可能な距離（例えば１０ｃｍ未満）まで近づく。これによって、支払端末１０と携帯端末３０との間で、ＮＦＣＩ／Ｆ２０、３８を介してＮＦＣ通信が確立する。この場合、制御部３６は、Ｓ３０でＹＥＳと判断し、Ｓ３２に進む。
【００４１】
Ｓ３２では、制御部３６は、確立したＮＦＣ通信を利用して、支払端末１０から送信される、支払端末１０の識別情報２４（図２のＳ１２参照）を受信する。
【００４２】
次いで、Ｓ３４では、制御部３６は、Ｓ３２で受信された識別情報２４に対応する初期情報を特定できたか否かを判断する。具体的には、制御部３６は、メモリ４０内から、識別情報２４と同一の識別情報を特定し、その識別情報と対応付けられている初期情報を特定する。メモリ４０内に、識別情報２４と同一の識別情報が存在する場合、制御部３６は、メモリ４０内から、識別情報２４に対応する初期情報を特定することができる。この場合、制御部３６は、Ｓ３４でＹＥＳと判断し、Ｓ３６に進む。Ｓ３６では、制御部３６は、特定された初期情報を支払端末１０に送信する。Ｓ３６を終えると、Ｓ４０に進む。一方、メモリ４０内に、識別情報２４と同一の識別情報が存在しない場合、制御部３６は、メモリ４０内から、識別情報２４に対応する初期情報を特定できない。この場合、制御部３６は、Ｓ３４でＮＯと判断し、Ｓ３８に進む。Ｓ３８では、制御部３６は、エラー情報を支払端末１０に送信する。Ｓ３８を終えると、Ｓ４０に進む。
【００４３】
Ｓ４０では、制御部３６は、支払端末１０から、結果情報（図２のＳ２０参照）を受信する。次いで、制御部３６は、結果情報に従って、メモリ２２に初期情報が記憶されたか否かの結果（設定成功又は設定失敗）を表示部３４に表示させる。自動販売機設定システム２の利用者は、携帯端末３０の表示部３４を見ることによって、初期情報が支払端末１０のメモリ２２に記憶されたか否かの結果を知ることができる。Ｓ４２を終えると、制御部３６は、図３の初期情報送信処理を終了する。
【００４４】
（携帯端末３０の制御部３６が実行する情報表示処理）
図示しないが、情報表示処理は、携帯端末３０の使用者（作業者）が、操作部３２を操作して、所定の情報表示操作を入力する場合に行われる。情報表示操作が入力されると、制御部３６は、メモリ４０内に記憶されている複数の識別情報４２と複数の初期情報４４の内容を表示部３４に表示させる。携帯端末３０の使用者は、携帯端末３０の表示部３４を見ることによって、メモリ４０に記憶されている複数の識別情報４２と複数の初期情報４４の内容を確認することができる。
【００４５】
（具体例；図４）
図４を参照して、本実施例の自動販売機設定システム２において、支払端末１０に初期情報を設定する場合における各端末の動作について説明する。携帯端末３０の使用者が、携帯端末３０を支払端末１０に近づけると、携帯端末３０のＮＦＣＩ／Ｆ３８と支払端末１０のＮＦＣＩ／Ｆ２０とが互いに通信可能な距離（例えば１０ｃｍ未満）まで近づく。これによって、支払端末１０と携帯端末３０との間でＮＦＣ通信が確立する（図２のＳ１０でＹＥＳ、図３のＳ３０でＹＥＳ）。
【００４６】
ＮＦＣ通信が確立すると、支払端末１０は、ＮＦＣ通信を利用して、支払端末１０の識別情報を携帯端末３０に送信する（図２のＳ１２）。携帯端末３０は、支払端末１０の識別情報を受信する（図３のＳ３２）。次いで、携帯端末３０は、メモリ４０内から、支払端末１０の識別情報に対応する初期情報を特定する。
【００４７】
携帯端末３０は、メモリ４０内から、支払端末１０の識別情報に対応する初期情報を特定すると（図３のＳ３４でＹＥＳ）、特定された初期情報（ＩＰアドレス、設定場所情報、ネガデータ等）を、ＮＦＣ通信を利用して、支払端末１０に送信する（図３のＳ３６）。
【００４８】
支払端末１０は、初期情報を受信する（図２のＳ１４でＹＥＳ）と、初期情報をメモリ２２に記憶させる（図２のＳ１６）。支払端末１０は、初期情報がメモリ２２に記憶されたことを示す結果（設定成功）を、表示部１４に表示させる（図２のＳ１８）。その後、支払端末１０は、ＮＦＣ通信を利用して、設定成功を示す結果情報を携帯端末３０に送信する（図２のＳ２０）。
【００４９】
携帯端末３０は、結果情報を受信する（図３のＳ４０）と、結果情報に従って、初期情報がメモリ２２に記憶されたことを示す結果（設定成功）を表示部３４に表示させる（図３のＳ４２）。
【００５０】
一方、携帯端末３０が、メモリ４０内から、支払端末１０から受信した識別情報と同一の識別情報を特定できない場合には、携帯端末３０は、支払端末１０に設定されるべき初期情報を特定することができない（図３のＳ３４でＮＯ）。この場合、携帯端末３０は、エラー情報を、ＮＦＣ通信を利用して、支払端末１０に送信する（図３のＳ３８）。
【００５１】
支払端末１０は、エラー情報を受信する（図２のＳ１４でＮＯ）と、初期情報がメモリ２２に記憶されなかったことを示す結果（設定失敗）を、表示部１４に表示させる（図２のＳ１８）。その後、支払端末１０は、ＮＦＣ通信を利用して、設定失敗を示す結果情報を携帯端末３０に送信する（図２のＳ２０）。
【００５２】
携帯端末３０は、結果情報を受信する（図３のＳ４０）と、結果情報に従って、初期情報がメモリ２２に記憶されなかったことを示す結果（設定失敗）を表示部３４に表示させる（図３のＳ４２）。
【００５３】
以上、本実施例の自動販売機設定システム２について説明した。上記の通り、本実施例では、支払端末１０は、携帯端末３０との間でＮＦＣ通信を確立すると、自身の識別情報を携帯端末３０に送信する（図２のＳ１２）。携帯端末３０は、支払端末１０から識別情報を受信すると、メモリ４０から、その識別情報に対応する初期情報を特定し、特定した初期情報を支払端末１０に送信する（図３のＳ３６）。支払端末１０は、携帯端末３０から初期情報を受信すると、その受信した初期情報をメモリ２２に記憶させる。これによって、支払端末１０は、自身の識別情報に対応した初期情報を適切にメモリ２２に記憶させることができる。本実施例では、携帯端末３０に複数の識別情報４２と複数の初期情報４４を対応付けて記憶することで、携帯端末３０の使用者（作業員）が携帯端末３０に情報を入力する必要がなくなり、支払端末１０に誤った初期情報が設定されることを抑制することができる。
【００５４】
また、本実施例の自動販売機設定システム２では、支払端末１０と携帯端末３０との間は、ＮＦＣ通信で接続される。この構成によると、ネットワークを利用してパケット通信を行う方式等の他の通信方式とは異なり、支払端末１０と携帯端末３０との間の通信に通信費用が必要とならない。また、支払端末１０と携帯端末３０とが、既存のＮＦＣＩ／Ｆを利用してＮＦＣ通信を行うことができるため、支払端末１０と携帯端末３０との間で通信を行うための特別な設備も必要ない。
【００５５】
本実施例の構成と請求項の記載との対応関係を記載しておく。支払端末１０のメモリ２２、携帯端末３０のメモリ４０が、それぞれ、「第１のメモリ」、「第２のメモリ」の一例である。支払端末の制御部１６、携帯端末３０の制御部３６が、それぞれ、「第１の制御部」、「第２の制御部」の一例である。
【００５６】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００５７】
（変形例１）  上記の実施例では、携帯端末３０の制御部３６は、ＰＣ６０とＮＦＣ通信を行うことにより、ＰＣ６０から複数の識別情報４２と複数の初期情報４４とを受信し、受信した複数の識別情報４２と複数の初期情報４４をメモリ４０に記憶させている。メモリ４０に複数の識別情報４２と複数の初期情報４４を記憶させるための手法はこれには限られず、任意とすることができる。例えば、予め複数の識別情報４２と複数の初期情報４４を記憶させておいた外部記憶媒体を携帯端末３０に接続し、携帯端末３０の制御部３６が外部記憶媒体から複数の識別情報４２と複数の初期情報４４を読み出してメモリ４０に記憶させてもよい。
【００５８】
（変形例２）  上記の実施例では、支払端末１０と携帯端末３０との間は、ＮＦＣ通信で接続される。これには限られず、支払端末１０と携帯端末３０は、例えば、有線接続等、任意の通信方法で接続されてもよい。一般的に言うと、自動販売機と携帯端末とが通信可能であればよい。
【００５９】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００６０】
２：自動販売機設定システム
４：自動販売機
６：インターネット
１０：支払端末
１２：操作部
１４：表示部
１６：制御部
１８：無線Ｉ／Ｆ
２０：ＮＦＣＩ／Ｆ
２２：メモリ
２４：識別情報
３０：携帯端末
３２：操作部
３４：表示部
３６：制御部
３８：ＮＦＣＩ／Ｆ
４０：メモリ
４２：識別情報
４４：初期情報
６０：ＰＣ
８０：サーバ
【図１】
2015072621.tif 000003
【図２】
2015072621.tif 000004
【図３】
2015072621.tif 000005
【図４】
2015072621.tif 000006